(57)【要約】【課題】  人体型に着せた上着の裾を、前後だけではなく両側も固定できるようにして引っ張り皺が身頃に付くことを防止し、また人体型の下方の構造の自由度を高め、下方スペースを有効に活用できるようにする。【解決手段】  人体型１に着せた上着２の前後の裾を押さえるための前後一対の裾押さえ４と、また人体型１に着せた上着２の両側の裾を側方に押し拡げて緊張するための左右一対の脇張り５とを備える。脇張り５に、この脇張り５と協働して上着２の両側の裾を挟んで押さえる脇押さえ１３を設ける。【選択図】      図１
2007117322.tif 000002
【特許請求の範囲】
【請求項１】
人体型に着せた上着の前後の裾を押さえるための前後一対の裾押さえと、また人体型に着せた上着の両側の裾を側方に押し拡げて緊張するための左右一対の脇張りとを備えて形成されている上着の立体仕上げ装置であって、上記の脇張りに、この脇張りと協働して上着の両側の裾を挟んで押さえる脇押さえが設けられていることを特徴とする上着の立体仕上げ装置。
【請求項２】
請求項１記載の上着の立体仕上げ装置であって、脇張りの下端に、鉤形状の支持部材が人体型の側方に水平部を突き出させて垂下状に設けられ、脇押さえが、この支持部材の水平部に前後方向に沿った軸で枢着され、この軸を中心に回動して起伏動作自在に設けられていることを特徴とする上着の立体仕上げ装置。
【請求項３】
請求項１又は２記載の上着の立体仕上げ装置であって、上着のラペルを押さえるための襟押さえを備えて形成されていることを特徴とする上着の立体仕上げ装置。
【請求項４】
請求項３記載の上着の立体仕上げ装置であって、襟押さえが、蝶の形に模されて左右一対の羽根状に、且つ内側の枢着軸を中心に人体型の前後方向に所定角度開閉動作自在に形成されていることを特徴とする上着の立体仕上げ装置。
【発明の詳細な説明】
【技術分野】
【０００１】
本発明は、上着（背広やジャケット、或いはコートなど）の立体仕上げ装置に関し、更に詳しくは人体の胸部を模した人体型に上着を着せ、この上着の内部に蒸気や熱風を供給して皺を除去し、平滑仕上げする上着の立体仕上げ装置に関するものである。
【背景技術】
【０００２】
従来この種の装置としては、例えば人体型に着せた上着の前後の裾を押さえるため、人体型の前後の下方に、人体型に向かって進退動作する前押さえと後押さえを設け、また両側の裾を側方に押し拡げて緊張するため、人体型の左右の下方に、側方に進退動作する左右一対の脇張りを設けているものがある（例えば特許文献１参照）。
【０００３】
ところで従来、この種の装置では、前後一対の裾押さえで上着の裾を固定した後、人体型を少し上昇させて上着を縦方向に引っ張り、前後の身頃の皺を除去することが行われる。この場合、従来機は、上記の通り、前後の裾が裾押さえで固定されているため、この裾押さえの位置から上着の側部にわたって生地に引き攣れ皺が発生するのを避けられなかった。この引き攣れ皴は、仕上がり状態に悪影響を及ぼすから、この種の立体仕上げ装置は、このような引き攣れ皺が生じないよう、形成されているのが望ましい。
しかるに従来機においては、このような問題に対する対策が特に施されていなかった。
而して従来、この種の仕上げ装置の中には、前後一対の裾押さえと共に、両側の裾を押さえるための裾押さえを備えて形成されているものも知られている（例えば特許文献２参照）。
しかしながらこの従来装置の場合は、裾の両側を側方に押し拡げて緊張することができなかっただけではなく、両側の裾押さえを、人体型の下方の基板に固定していたから、これによると、裾押さえを設けるための基板によって人体型の下方の構造が制限され、人体型の下方がデッドスペース化し易い、という問題点があった。
【特許文献１】実開昭５９−１４８７９４号公報
【特許文献２】特開平７−１６３７９６号公報
【発明の開示】
【発明が解決しようとする課題】
【０００４】
本発明は、このような従来技術の問題点に鑑み、提案されたものである。
従って本発明の解決しようとする技術的課題は、人体型に着せた上着の裾を、前後だけではなく両側も固定できるようにして引っ張り皺が身頃に付くことを防止し、また人体型の下方の構造の自由度を高め、下方スペースを有効に活用できるよう形成した上着の立体仕上げ装置を提供することにある。
【課題を解決するための手段】
【０００５】
本発明は、上記の課題を解決するため、次のような技術的手段を採る。
即ち本発明は、図１等に示されるように、人体型１に着せた上着２の前後の裾を押さえるための前後一対の裾押さえ４と、また人体型１に着せた上着２の両側の裾を側方に押し拡げて緊張するための左右一対の脇張り５とを備えて形成されている上着２の立体仕上げ装置であって、上記の脇張り５に、この脇張り５と協働して上着２の両側の裾を挟んで押さえる脇押さえ１３が設けられていることを特徴とする（請求項１）。
【０００６】
この本発明の場合は、脇張り５の下端に、鉤形状の支持部材１４が人体型１の側方に水平部１４ａを突き出させて垂下状に設けられ、脇押さえ１３が、この支持部材１４の水平部１４ａに前後方向に沿った軸１５で枢着され、この軸１５を中心に回動して起伏動作自在に形成されているのが好ましい（請求項２）。
【０００７】
なぜならこれによると、脇押さえ１３が動作する上で側方に占めるスペースを小さくでき、その分、装置の小型化、占有スペースの狭小化を図ることができるからである。
【０００８】
また請求項１又は２記載の本発明の装置は、上着２のラペル２ａを押さえるための襟押さえ１８を備えて形成されているのが好ましい（請求項３）。
なぜならこれによると、上着２の前後の身頃だけではなく、ラペル２ａを綺麗に仕上げることができるからである。この場合、襟押さえ１８の大きさは、通常、ラペル２ａの上側の上襟（カラー）の部分まで押圧できるよう形成される。
【０００９】
また請求項３に係る本発明の場合は、襟押さえ１８が、蝶の形に模されて左右一対の羽根状に、且つ内側の枢着軸１９を中心に人体型１の前後方向に所定角度開閉動作自在に形成されているのが好ましい（請求項４）。
本発明の場合、襟押さえ１８の形状や動作は任意であるが、このように形成される場合は、両側のラペル２ａを、両方の手の平で押し当てて包み込むように押圧でき、ラペル２ａの仕上がり状態を一層良くできるからである。ここで、内側の枢着軸１９とは、左右一対の羽根状の襟押さえ１８の開閉動作を可能にするため、中央又は中央付近に設けられる軸を意味し、具体的には、中央に１本（個）設けたり、線対称位置に左右一対設けることで実現される。またここで、所定角度とは、人体型１の前側の枢着軸１９を中心に、左右の襟押さえ１８が夫々内外方に回動し、ラペル２ａの押圧が可能になる角度を意味する。
【発明の効果】
【００１０】
本発明は、このように人体型に着せた上着の両側の裾を側方に押し拡げて緊張するための左右一対の脇張りに、この脇張りと協働して上着の両側の裾を挟んで押さえる脇押さえを設けているものである。
従って本発明の場合は、上着の前後の裾と共に、両側の裾も固定できるから、上着の裾の全体を、しっかり固定した状態で、人体型を少し上昇させて上着を緊張できる。それ故これによれば、この種の緊張時に、上着の身頃に引き攣り皺が付くことを防止でき、上着を綺麗に仕上げることができる。
また本発明は、脇押さえを、脇張りに設けているから、人体型の下方から脇押さえ用の取り付けベースを一掃できる。従ってこれによれば、人体型の下方に配管や付属機器等を設けることの自由度が高まり、人体型の下方スペースを有効に活用できる。
【発明を実施するための最良の形態】
【００１１】
以下、本発明を実施するための最良の形態を説明する。
図１、図２等において、１は、人体の胸部を模した人体型であり、２はこの人体型１に着せた上着である。人体型１は、垂直に設けられている第１エアシリンダ３のロッドの伸縮動作により、昇降自在に形成されている。４は、上着２の前後の裾を押さえるための前後一対の裾押さえである。
【００１２】
５は、人体型１に着せた上着２の両側の裾を外側方に押し拡げて緊張するための左右一対の脇張りである。この脇張り５は、図２、図３等に示されるように、起立フレーム６の上部に、前後方向に沿った第１横軸７を介して枢着されている。起立フレーム６の下端は、横向き状の支持フレーム８の外端に、前後方向に沿った第２横軸９を介して枢着されている。支持フレーム８の内端は、角筒形の基枠１０の側面に固定されている。上記の第１エアシリンダ３は、基枠１０内に配設されている。起立フレーム６は、第２横軸９の位置から基枠１０側に傾斜されている下部と、この下部に連なる垂直状の上部とで屈曲形に形成されている。１１は、起立フレーム６の下部と、支持フレーム８との間に、ロッドを外向きに傾斜させて斜めに設けられている第２エアシリンダである。この第２エアシリンダ１１のロッドが延伸すると、起立フレーム６が第２横軸９を中心に側方に回動し、上着２の側部の裾や脇を側方に押し拡げて緊張する（図３〜図５参照）。なお図２に示されるように、裾押さえ４の受け鏝４ａと脇張り５の間には、耐熱性の布１２が、脇張り５の移動を制限しないよう余裕を持って張られ、上着２の内部に供給する蒸気や熱風を逃がさないよう形成されている。
【００１３】
１３は、脇張り５と協働して上着２の側部の裾を挟んで押さえる脇押さえである。この脇押さえ１３は、脇張り５に設けられている。１４は、鉤形状の支持部材である。この支持部材１４は、脇張り５の下端に、人体型１の側方に水平部１４ａを突き出させて垂下状に設けられている。脇押さえ１３は、この支持部材１４の水平部１４ａに、前後方向に沿った軸１５で枢着され、この軸１５を中心に回動して起伏動作自在に設けられている。１６は、脇押さえ１３を起伏動作させる第３エアシリンダである。この第３エアシリンダ１６は、ロッドが脇押さえ１３の前面（押さえ面）と平行になるよう、支持部材１４の水平部１４ａと、脇押さえ１３の背面側の突き出し部１７との間に枢着され、第３エアシリンダ１６のロッドが伸縮すると、脇押さえ１３と一緒に第３エアシリンダ１６も起伏動作するよう形成されている。
【００１４】
また１８（図１、図６等参照）は、上着２のラペル２ａを押さえるための襟押さえである。この襟押さえ１８は、蝶の形に模されて左右一対の羽根状に、且つ内側の枢着軸１９（図９、図１０等参照）を中心に人体型１の前後方向に所定角度開閉動作自在に形成されている。枢着軸１９は、この実施形態では人体型１の首部１ａ（図８等参照）から前方に鉤形取っ手状に突き出された取付部２０の内部に固定されている上板２１と下板２２に、平面視で左右一対状に設けられている。襟押さえ１８を支持する腕片２３（図１、図９等参照）は、その内端が上板２１と下板２２に、枢着軸１９で枢着されている。襟押さえ１８は、腕片２３の外端に、摘み２４でコイルバネ２５の弾性を調節することにより、押圧力を調節可能に設けられている。
【００１５】
２６は、襟押さえ１８を所定角度開閉動作させるためのレバーである。このレバー２６の外端には球状の握り２６ａが設けられ、内端には平面視で鉤形状の延長プレート２７が連結されている。この延長プレート２７は、上板２１に縦軸２８を介して枢着され、上板２１から僅かに離されてその上に、上板２１と平行状に配置されている。また延長プレート２７の先端の内側の角は、凹湾曲状に切り欠かれ、切り欠き部２７ａに形成されている。２１ａは、上板２１に平面視で円弧状に形成されている案内孔である。この案内孔２１ａには軸棒２９が通され、この軸棒２９の上端には回転子３０が取り付けられている。延長プレート２７の内周縁２７ｂは、レバー２６の回動操作時に、回転子３０の外周面と係合するよう形成されている。また切り欠き部２７ａは、内周縁２７ｂから連ねられ、回転子３０と係合して回転子３０を受け止めるよう、形成されている。また軸棒２９は、引っ張りバネ３１により、常時、人体型１の側に牽引されている。
【００１６】
３２（図８等参照）は、軸棒２９と連結されているバネ取付部材である。このバネ取付部材３２の上端と、取付部２０の内側上面に固定されているピン３３との間に、引っ張りバネ３１が架け渡されている。一方の腕片２３（この実施形態では図１において右側の腕片２３）の内端は、図９、図１０等に示されるように、軸棒２９の位置まで延長され、軸棒２９と一体状に連結されている。また他方の腕片２３（図１において左側の腕片２３）の内端の下側箇所２３ａ（図９等参照）は、軸棒２９の位置まで延長されると共に、平面視でＵ字状の切り欠き３４を有して形成されている。そして他方の腕片２３は、この切り欠き３４が軸棒２９の下端の下側回転子３５の外周面と係合することにより、軸棒２９に連動するよう形成されている。
【００１７】
また３６（図１、図８等参照）は、ラペル２ａの下部を押さえる下部押さえである。この下部押さえ３６は、棒状部材３７の下端に設けられ、棒状部材３７の上部は取付部２０に、人体型１の左右方向に沿った第３横軸３８を介して枢着され、これにより下部押さえ３６は、人体型１の前後方向に第３横軸３８を中心に所定角度回動するよう形成されている。また棒状部材３７は、コイルスプリング３９で上方に牽引され、このコイルスプリング３９の牽引力に抗して作業者が下部押さえ３６を人体型１の側に第３横軸３８を中心に回動させてラペル２ａの下部に押し付けると、棒状部材３７はその上端が引っ掛け鉤４０の爪４０ａで掛け止められるよう形成されている。引っ掛け鉤４０の爪４０ａは、取付部２０の前面から突き出されている操作片４１の先端を押し下げることで、棒状部材３７の上端から外れるよう形成されている。そして爪４０ａが棒状部材３７の上端から外れると、コイルスプリング３９の復元力で下部押さえ３６が、第３横軸３８を中心に人体型１の前方に回動して引き離されるものである。なお４２は、下部押さえ３６の操作摘みである。
【００１８】
次に本発明の作用の一例を説明する。
先ず作業者は、上着２を人体型１に、肩の位置を調節して着せ、次に、例えば人体型１の上昇用ペダルを踏む。すると、第１エアシリンダ３のロッドが伸びて人体型１と共に上着２が上昇する。この際、適宜箇所に設けられている裾検出器（図示せず）が裾の通過を検出すると、例えば所定時間経過後、第１エアシリンダ３の駆動が停止し、これにより上着２が最適な高さに配置される。
【００１９】
次にこの状態で作業者は、ラペル２ａを襟押さえ１８で固定する。具体的には、作業者が、図１０において、レバー２６を反時計方向（矢示の方向）に引っ張りバネ３１の牽引力に抗して回動する。すると延長プレート２７が、縦軸２８を中心に同方向に回動するため、その内周縁２７ｂに係合している回転子３０が、内周縁２７ｂに押されながら、徐々に、同図において下側に移動する。回転子３０は軸棒２９と一体化し、軸棒２９と一方の腕片２３（同図上、右側の腕片２３）とは連結している。従って回転子３０が移動するのに連れ、軸棒２９が案内孔２１ａに案内されて移動し、一方の腕片２３が右側の枢着軸１９を中心に反時計方向に回り、右側の襟押さえ１８が人体型１の側に徐々に回動する。そしてレバー２６を回動終端位置まで押すと、図１１に示されるように、延長プレート２７の切り欠き部２７ａが回転子３０に係合し、このとき右側の襟押さえ１８が、右側のラペル２ａを押圧する。また左側の腕片２３は、上記の通り、下側箇所２３ａの切り欠き３４が、軸棒２９と一体化した下側回転子３５と係合している。従って作業者が、図１０において、レバー２６を反時計方向に回すと、軸棒２９が人体型１から離れる方向（同図上、下側方向）に移動するのに連れ、左側の腕片２３は、同図において、左側の枢着軸１９を中心に時計方向に回動する。そして延長プレート２７の切り欠き部２７ａが、回転子３０に係合すると（図１１の状態参照）、左側の襟押さえ１８が、左側のラペル２ａを押圧する。本発明では、このようにして左右の襟押さえ１８が、左右のラペル２ａを同時に押圧するものである。
【００２０】
なお襟押さえ１８をラペル２ａから離す場合は、上例と逆に、レバー２６を操作して行う。即ち、作業者が、レバー２６を引き、図１１において時計方向に回すと、先ず回転子３０と切り欠き部２７ａとの係合が解かれ、続いて回転子３０が延長プレート２７の内周縁２７ｂに摺接しながら、引っ張りバネ３１の復元力で、人体型１の方向（同図上、上側方向）に徐々に移動する。従って回転子３０と共に軸棒２９が、同方向に移動し、作業者がレバー２６を手前まで引くと、図１０に示されるように、左右の腕片２３が左右の枢着軸１９を中心に上例と逆に回動して外方に開かれる。これにより、図６、図７に示されるように、左右の襟押さえ１８がラペル２ａから離される。
【００２１】
而して作業者は、襟押さえ１８でラペル２ａを固定した後、操作摘み４２（図８参照）をコイルスプリング３９の牽引力に抗して押し、下部押さえ３６でラペル２ａの下部を固定する。このとき棒状部材３７の上端に、引っ掛け鉤４０の爪４０ａが係合し、下部押さえ３６は固定される。
【００２２】
そして作業者が、例えばオートスタートボタンを押す。すると、裾押さえ４が上着２の前後の裾を、後側、前側の順で固定し、続いて左右の脇張り５が側方に同時に移動して上着２の両側の裾を押し拡げて緊張する。その後、脇押さえ１３が、両側の裾を、脇張り５に同時に押し付けて固定する。
【００２３】
このようにして裾が固定されると、その後、例えば第１エアシリンダ３（図２参照）が駆動し、ロッドが少し上昇して人体型１を上昇させ、上着２を縦方向に引っ張り緊張する。そして蒸気と熱風が上着２の内側に吹き付けられ、上着２を蒸らして皺を伸ばし、乾燥仕上げする。その後、作業者が、例えばフィニッシュボタンを押すと、第１エアシリンダ３のロッドが収縮して人体型１が下降し、セット位置に戻る。また第２エアシリンダ１１、第３エアシリンダ１６のロッドが収縮し、脇張り５が内方に復帰すると共に、脇押さえ１３が外側に回動して両裾の押さえを解き、続いて前後一対の裾押さえ４が復帰し、裾の固定が解かれる。その後、作業者は、レバー２６（図１参照）を上例と逆に操作し、また操作片４１（図８参照）を押し下げ、襟押さえ１８と下部押さえ３６を復帰させ、上着２を人体型１から脱がして作業が完了する。
【図面の簡単な説明】
【００２４】
【図１】本発明の立体仕上げ装置の好適な一実施形態を示す使用状態時の正面図である。
【図２】同上装置の要部斜視図である。
【図３】同上装置の作用を説明するための要部正面図である。
【図４】同上装置の作用を説明するための要部正面図である。
【図５】同上装置の作用を説明するための要部正面図である。
【図６】同上装置の要部斜視図である。
【図７】同上装置の要部側面図である。
【図８】同上装置の一部を切欠した要部側面図である。
【図９】同上装置の要部斜視図である。
【図１０】襟押さえの作用を説明するための一部を切欠した要部平面図である。
【図１１】襟押さえの作用を説明するための一部を切欠した要部平面図である。
【符号の説明】
【００２５】
１      人体型
２      上着
４      裾押さえ
５      脇張り
１３    脇押さえ
【図１】
2007117322.tif 000003
【図２】
2007117322.tif 000004
【図３】
2007117322.tif 000005
【図４】
2007117322.tif 000006
【図５】
2007117322.tif 000007
【図６】
2007117322.tif 000008
【図７】
2007117322.tif 000009
【図８】
2007117322.tif 000010
【図９】
2007117322.tif 000011
【図１０】
2007117322.tif 000012
【図１１】
2007117322.tif 000013